(57)【要約】【課題】自動供給装置から平版刷版を供給する動作を継続したまま、平版刷版収納用のカセットを引き出して平版刷版を補充又は交換できるようにし、生産性を向上可能とする。【解決手段】自動供給装置１０のハウジング内部に平版刷版１１を収納したカセット２０を少なくとも２台、台座部材２４上に載置して斜めの使用位置にセットして遮光状態で収容し、各カセット２０から枚葉供給装置１２で平版刷版１１を１枚づつ分離して搬出する。所要のカセット２０を台車に乗せて自動供給装置１０の外部へ運び出し平版刷版１１の補充又は交換の作業を行ってから台車２２で自動供給装置内部へ搬入し台座部材２４上に載置して使用位置にセットする。この間に、他方のカセット２０から平版刷版１１を供給して作業が中断することを削減し生産性を向上可能とする。【選択図】図２
2007261714.tif 000002
【特許請求の範囲】
【請求項１】
平版刷版を複数枚重ねて束にしたものを収納したカセットを少なくとも２台、各々の台座部材上に載置して上部の枚葉供給装置へかけて斜めとなる使用位置に位置決めしてハウジング内部に遮光状態で収容可能に構成した自動供給装置と、
前記平版刷版収納用のカセットに、前記枚葉供給装置側の前記平版刷版を１枚づつ分離して搬出する操作のため必要となる範囲を開放するよう開扉し、また閉扉した状態で内部を遮光状態とするよう装着された蓋と、
前記自動供給装置の内部にある前記カセットの蓋を開閉操作する開扉操作手段と、
前記平版刷版収納用のカセットを斜めの所定状態で支受して移し変えて乗せた状態で前記自動供給装置から外部へ引き出し、また斜めの所定状態で支受して乗せている前記カセットを前記自動供給装置内へ搬入してから前記台座部材上に載置して使用位置に載置可能に構成した台車と、
を具備することを特徴とする平版刷版の供給システム。
【請求項２】
前記台車を、
車輪を設けた台板の上に配置した操作機台と、
前記操作機台に昇降操作可能に装着された支持枠体と、
前記支持枠体の連動操作機構によって、前記被保持部材を支受可能な状態と前記被保持部材を支受不能な状態とに切り換え操作可能に装着した支持部材と、
前記支持枠体の連動操作機構を操作して、前記支持部材を選択した１台の前記カセットの前記被保持部材を支受可能な状態へ移動させる動作と、前記支持枠体を昇降動作させて、前記支持部材で前記被保持部材を支受して前記カセットを保持した状態と、前記被保持部材が前記支持部材から開放されて前記カセットが前記台座部材上に載置される状態とに移行させる操作手段と、
により構成したことを特徴とする請求項１に記載の平版刷版の供給システム。
【発明の詳細な説明】
【技術分野】
【０００１】
この発明は、平版刷版の束を収納したカセットを２つ装置内に収容し、一方のカセットから平版刷版を一枚づつ分離して搬出する供給動作を継続したまま、他方のカセットを装置から外部へ引き出して平版刷版の束を追加装填する作業を実行可能とした、平版刷版の供給システムに関する。
【背景技術】
【０００２】
一般に、オフセット印刷には、平版刷版（いわゆるＰＳ版）が利用されている。また、この平版印刷の分野では、未露光の平版刷版の供給を受けて、この平版刷版に対しコンピュータ等のデジタルデータに基づいてレーザ露光処理をし、自動現像機で平版刷版上に形成された潜像を顕像に変換する現像処理をして直接印刷版を製版するＣＴＰ（Ｃｏｍｐｕｔｅｒ  ｔｏ  Ｐｌａｔｅ）システムが実用化されている。
【０００３】
このようなＣＴＰシステムで用いることが可能な平版刷版を画像露光する画像露光装置では、複数枚の平版刷版の束を収納したカセットを装置内部のカセット装填部に装填しておき、このカセット内から平版刷版を１枚ずつ分離して画像露光装置へ供給し、画像露光を行うのが普通である。
【０００４】
従来、このような画像露光装置には、カセット装填部を複数台のカセットを装填可能に構成し、このカセット装填部に複数サイズの印刷版を同時に装填しておき、給版コンベアによってカセット装填部に装填されている所要のカセットから一枚づつ平版刷版を取り出して搬送し画像露光装置へ供給し、画像露光を施すことができるようにしたものが提案されている（例えば、特許文献１参照）。
【０００５】
このように複数台のカセットをカセット装填部に装填可能に構成した平版刷版の自動供給装置を備えた画像露光装置では、例えば、カセット装填部に同じサイズで同じ規格の平版刷版を収納した複数台のカセットを装填しておけば、１台のカセットしか装填できない画像露光装置と比較して、カセット装填部にストックしておく平版刷版の枚数を増加し、平版刷版を使い切ったときに自動供給装置の動作を中断し画像露光装置の露光処理動作を停止して平版刷版の束を補給する作業を行う回数を減少させることができる。
【０００６】
しかしながら、このような平版刷版の自動供給装置では、カセット装填部にストックしてある複数台のカセットに収納されていた全ての平版刷版を使い切ったときに、平版刷版の自動供給装置を停止して、カセット装填部から複数台のカセットを引き出し、これら空のカセットに平版刷版の束を補給し、平版刷版の束を収納した複数台のカセットを再びカセット装填部に収容する作業が必須である。  このため、このような平版刷版の自動供給装置を用いた場合には、平版刷版を使い切ったときに自動供給装置の動作を中断し画像露光装置の露光処理動作を停止することとなり、この時間がかかる平版刷版の補充作業のために生産性が低下するという問題がある。
【特許文献１】特開２００１−１８８３５５号公報
【発明の開示】
【発明が解決しようとする課題】
【０００７】
本発明は、上述の点に鑑み、自動供給装置から平版刷版を一枚づつ分離して搬出する動作を長く中断させずに、平版刷版の束を収納するカセットを自動供給装置のカセット装填部から引き出して平版刷版の束を補充又は交換する作業を行えるようにすることにより生産性を向上可能とする平版刷版の供給システムを新たに提供することを目的とする。
【課題を解決するための手段】
【０００８】
本発明の請求項１に記載の平版刷版の供給システムは、平版刷版を複数枚重ねて束にしたものを収納したカセットを少なくとも２台、各々の台座部材上に載置して上部の枚葉供給装置へかけて斜めとなる使用位置に位置決めしてハウジング内部に遮光状態で収容可能に構成した自動供給装置と、平版刷版収納用のカセットに、枚葉供給装置側の平版刷版を１枚づつ分離して搬出する操作のため必要となる範囲を開放するよう開扉し、また閉扉した状態で内部を遮光状態とするよう装着された蓋と、自動供給装置の内部にあるカセットの蓋を開閉操作する開扉操作手段と、平版刷版収納用のカセットを斜めの所定状態で支受して移し変えて乗せた状態で自動供給装置から外部へ引き出し、また斜めの所定状態で支受して乗せているカセットを自動供給装置内へ搬入してから台座部材上に載置して使用位置に載置可能に構成した台車と、を具備することを特徴とする。
【０００９】
請求項２に記載の発明は、請求項１に記載の平版刷版の供給システムにおいて、台車を、車輪を設けた台板の上に配置した操作機台と、操作機台に昇降操作可能に装着された支持枠体と、支持枠体の連動操作機構によって、被保持部材を支受可能な状態と被保持部材を支受不能な状態とに切り換え操作可能に装着した支持部材と、支持枠体の連動操作機構を操作して、支持部材を選択した１台のカセットの被保持部材を支受可能な状態へ移動させる動作と、支持枠体を昇降動作させて、支持部材で被保持部材を支受してカセットを保持した状態と、被保持部材が支持部材から開放されてカセットが台座部材上に載置される状態とに移行させる操作手段と、により構成したことを特徴とする。
【００１０】
前述のように構成することにより、自動供給装置のハウジング内部に平版刷版を収納したカセットを少なくとも２台、各々の台座部材上に載置して上部の枚葉供給装置へかけて斜めとなる使用位置に位置決めして遮光状態で収容し、各カセットから各々に対応した枚葉供給装置で平版刷版を１枚づつ分離して搬出する動作を行う。そして、平版刷版を使い切って空となったカセット又は平版刷版を交換したい側の一方のカセットを選択し、このカセットを台車へ移し変え、カセットを台車に乗せて自動供給装置の外部へ運び出して平版刷版の補充又は交換の作業を行ってから、再び台車でカセットを自動供給装置内部へ搬入し台座部材上に載置して使用位置にセットする作業を行う。この作業の際に、自動供給装置に台車を搬出又は搬入させる以外のときに自動供給装置の内部に残された他方の平版刷版収納用のカセットから枚葉供給装置で平版刷版を１枚づつ分離して搬出する動作を行うことができるので、自動供給装置を停止させて作業が長く中断することをなくして生産性を向上可能とする。
【発明の効果】
【００１１】
本発明の平版刷版の供給システムによれば、自動供給装置から平版刷版を一枚づつ分離して搬出する動作を長く中断することなく平版刷版の束を収納するカセットを自動供給装置のカセット装填部から引き出して平版刷版の束を補充することができるので、平版刷版の供給を受けて露光処理する等の作業を、平版刷版の束を自動供給装置へ補充又は交換する作業のために長く中断させるという無駄な時間を削減することによって生産性を向上できるという効果がある。
【発明を実施するための最良の形態】
【００１２】
本発明の平版刷版の供給システムに関する実施の形態について図１乃至図８により説明する。
【００１３】
本実施の形態に係わる平版刷版の供給システムでは、現在市販されている一般の平版刷版（ＰＳ版）と比較して、平版刷版の表面に感光剤を塗布して形成された記録層側の表面が外力に対し強く（２０倍以上）、合紙の保護を必要としないフォトポリマＰＳ版（サーマルタイプのＣＴＰ版等でも良い）である、いわゆる合紙無し平版刷版（合紙レス平版刷版）を所定複数枚束にしたものをカセットに収納し、カセット装填部に平版刷版を収納したカセットを少なくとも２個装填し、枚葉供給装置で各カセットに収納されている平版刷版を１枚づつ分離して搬出する送給作業を可能に構成する。さらに、この平版刷版の供給システムでは、
カセット装填部に少なくとも２個装填したカセットのうち平版刷版を送給する作業に係わっていないカセットを選択して引き出し、平版刷版の補充又は交換の作業を可能に構成する。
【００１４】
この平版刷版の供給システムに用いる合紙無し平版刷版（合紙レスＰＳ版）は、例えば、所定サイズの長方形の板状に形成された薄いアルミニウム板である支持体上に、感光材料を含有する感光剤を塗布して形成された記録層（画像記録層である感光面）を設けて構成する。
【００１５】
この合紙レス平版刷版は、支持体である薄いアルミニュウム基板の表面上へ感光剤を層状に塗布して記録層としての感光層を構成し、さらに平版刷版の感光層表面に酸素による感光層の減感現像防止のためオーバーコート層を塗布し、外力に対し強い特性（例えば、通常のＰＳ版の２０倍以上の強度特性）とし、その裏面に、平版刷版を搬送する際に重なっている平版刷版同士が密着しないようにするための水ガラス製のバックコート層を設けて構成する。
【００１６】
この合紙無しで束ねられる平版刷版は、これを製造してから所定複数枚の平版刷版を、合紙を廃止して、平版刷版の表面に当たる感光面（感光剤面であるＥｍ面）に平版刷版の裏面に当たる（ＰＳ版アルミ面側であるＢａｃｋ面）を直接接触させる状態で積層して直方体の束にした状態で、運搬や保管を行い、平版刷版の自動供給装置の内部へ遮光状態で供給し、この平版刷版の自動供給装置の内部機構で搬出する際に、自重で重なった状態において、平版刷版のアルミ面側が、その下に位置する平版刷版の感光面上を摺動しても、傷や圧力カブリ等を生じないという特性を持つ。
【００１７】
図１及び図２に示すように、この平版刷版の供給システムは、コンピュータ等のデジタルデータに基づいてレーザ露光処理をし、自動現像機で平版刷版１１上に形成された潜像を顕像に変換する現像処理をして直接印刷版を製版するＣＴＰ（Ｃｏｍｐｕｔｅｒ  ｔｏ  Ｐｌａｔｅ）システムに利用できる。
【００１８】
図１及び図２に示すように、このＣＴＰシステムは、合紙無しで所定複数枚積み重ねられた平版刷版１１の束が供給される自動供給装置１０と、この自動供給装置１０と一体的に構成されて平版刷版１１の束から平版刷版１１（ＰＳ版）を１枚づつ分離して供給する枚葉供給装置１２と、インナードラム露光装置（モノゴンスキャナー）１４と、バッファ装置１６と、現像処理装置１８とを備える。
【００１９】
このＣＴＰシステムにおける自動供給装置１０のハウジングは、少なくとも２個の平版刷版収納用のカセット２０を内部に収容可能に構成すると共に、収納されている一方の平版刷版収納用のカセット２０を保持して自動供給装置１０のハウジング内から引き出し又は内部へ収容させるための台車（運搬機構であるトロリー）２２を内部に収容可能に構成する。
【００２０】
また、自動供給装置１０のハウジングの内部には、各平版刷版収納用のカセット２０を床面から上部の枚葉供給装置１２へかけて斜めとなる所定状態に位置決めして保持するため、平版刷版収納用のカセット２０の底面及び背面の上下２箇所をそれぞれ支持する台座部材２４を配置する。
【００２１】
なお、平版刷版収納用のカセット２０を斜めに配置した場合には、平版刷版収納用のカセット２０を水平に配置する場合と比較して自動供給装置１０の水平方向の大きさを削減して装置の小型化を図ることができる。
【００２２】
図３に示すように、平版刷版収納用のカセット２０は、全体が矩形の箱状となるように構成する。この平版刷版収納用のカセット２０は、矩形箱体の台座部材２４に載置されたときに上側となる上端部に、開閉可能となるようヒンジ２６で回動自由に支受された蓋２８を装着する。
【００２３】
この蓋２８は、平版刷版収納用のカセット２０の上端面から前面にかけての平版刷版１１を取り出すために必要となる範囲を開閉可能に覆うため略側面鉤形状に形成し、この蓋２８が閉じた状態で平版刷版収納用のカセット２０の内部を遮光状態とできるように構成する。
【００２４】
さらに、この蓋２８には、自動供給装置１０のハウジング内に装填したとき奥側に当たる端面に、小矩形板状に形成した開閉操作用の突片３０を突設する。
【００２５】
また、自動供給装置１０のハウジングの内部には、蓋２８の突片３０に対応した位置に扉開閉手段としての開閉機３２を設置する。この開閉機３２は、回転円板の回転中心から偏芯した位置に２本の小棒３６を平行に突設した開閉操作部材３４を、モータで所定角度回動操作可能に構成する。
【００２６】
このように構成した開閉機３２は、自動供給装置１０のハウジング内に平版刷版収納用のカセット２０が搬入されたときに、その２本の小棒３６の間に突片３０が挿入されるように配置する。
【００２７】
そして、図３及び図４に示すように、この開閉機３２は、２本の小棒３６の間に突片３０が挿入された状態においてモータで開閉操作部材３４を所定角度回動する動作により、ヒンジ２６を軸にして蓋２８を回動して図３に示す閉扉状態から図４に想像線で示す開扉状態へと操作する。なお、開閉機３２で蓋２８を開扉状態から閉扉状態へ操作する場合には、上述と逆の操作手順によって行う。
【００２８】
図３に示すように、平版刷版収納用のカセット２０には、その両縦側面上下の各所定位置に、台車２２に載せるときに保持するのに使用する小円柱状の被保持部材３８を突設する。
【００２９】
また、この平版刷版収納用のカセット２０は、蓋２８を軸着した上半分のハーフケースを下半分のハーフケースから着脱可能に構成し、上半分のハーフケースを外した状態で、カセット２０の下半分のハーフケース内に平版刷版の束を挿入する作業を行えるように構成する。
【００３０】
図３、図５及び図６に示すように、台車２２は、四隅に車輪４０を取り付けた台板４２上の両側近傍に、それぞれ平版刷版収納用カセットの支持機構４４を立設して構成する。
【００３１】
この支持機構４４は、台板４２上に固着した操作機台４６と、操作機台４６に昇降操作可能に装着された支持切換機構付き支持枠体４８とを有する。
【００３２】
この支持切換機構付き支持枠体４８には、平版刷版収納用のカセット２０の上下に設置した被保持部材３８に対応した位置に、それぞれ各平版刷版収納用のカセット２０を支持するための支持バー５０を装着する。
【００３３】
この支持バー５０は、所定長さの矩形棒状に形成し、その両端上面部に逆への字状に凹んだ被保持部材３８用の受け皿部材５２を設けて構成する。
【００３４】
この支持切換機構付き支持枠体４８には、その上下の各所定位置に支持バー５０を長手方向に沿って略水平方向に移動可能に装着する。
【００３５】
このため支持切換機構付き支持枠体４８の上下の各所定箇所には、四角に配置された４箇所にそれぞれ支えローラ５４を回動自由に装着し、これら四角に配置された支えローラ５４における上下２個づつのペアの間に支持バー５０を挟むように転動支受させて略水平方向に移動可能とする。
【００３６】
さらに、図示しないが、支持切換機構付き支持枠体４８内部には、各支持バー５０を略水平方向に所定距離だけ移動操作する連動操作機構を設置する。
【００３７】
図３に示すように、この支持機構４４では、その操作機台４６の内部に、支持切換機構付き支持枠体４８を昇降操作するための図示しない昇降操作機構を設置する。
【００３８】
この昇降操作機構は、操作機台４６に隣接して配置された足踏み操作用のペダル装置５６を操作することにより、一般のジャッキに用いる機構等で支持切換機構付き支持枠体４８を昇降操作可能に構成する。
【００３９】
また、支持機構４４では、ペダル装置５６を操作することにより、支持バー５０をそれぞれ一方のカセット２０を保持する位置と他方のカセット２０を保持する位置とに選択的に移動操作可能に構成する。
【００４０】
この支持機構４４では、ペダル装置５６の操作の仕方によって、支持切換機構付き支持枠体４８を昇降動作させる操作と、選択した保持すべきカセット２０側に支持バー５０を移動させる操作とを独立して行えるように構成する。なお、この支持機構４４では、ペダル装置５６で支持切換機構付き支持枠体４８を昇降動作させる操作を行えるように構成し、他の操作手段で支持バー５０を移動操作するように構成しても良い。
【００４１】
上述のように構成した台車２２では、１台の台車２２で２つの平版刷版収納用のカセット２０に対する搬出と搬入操作とを行えるので、１つの平版刷版収納用のカセットを専用の１台の台車で搬出と搬入操作とを行うものに比べて、台車２２の数を半減し、構成を簡素化できる。
【００４２】
図２及び図５に示すように、この枚葉供給装置１２には、各平版刷版収納用のカセット２０の上側の位置に、それぞれ図示しない操作装置でピックアップ位置と退避位置との間を移動操作される、搬出手段としてのローラピック方式に構成された搬出用ローラ（ピックアップローラ）１４６を装着する。
【００４３】
この搬出用ローラ１４６は、平版刷版１１の幅方向中央部の所定長さ範囲に渡って転接するよう、回転軸方向の長さを所定寸法に形成する。この搬出用ローラ１４６は、図示しない駆動源である駆動モータで回動するよう構成する。この搬出用ローラ１４６は、回動操作リンク１４５によって平版刷版１１上に圧接するピックアップ位置と平版刷版１１から離間した待避位置との間を移動操作可能に装着する。
【００４４】
また、この枚葉供給装置１２には、各平版刷版収納用のカセット２０に載置されている平版刷版１１の束における最も表面側に位置する搬出されるべき平版刷版１１を捌くための捌き操作手段を装着する。
【００４５】
この捌き操作手段は、吸盤装置１６４で平版刷版収納用のカセット２０に載置されている最上部の平版刷版１１における上端近くの部分（搬送方向下流側端部近傍）に吸着しこの吸着した平版刷版１１を垂直に立てる方向に移動させて平版刷版１１の束の第２番目の平版刷版１１から引き離し、搬出する第１番目の平版刷版１１と第２番目の平版刷版１１との間に所定間隔の空間を作ることによって空気を導入してこれらの間の真空密着状態を解消する捌き位置へ移動操作する捌き動作を行うように構成する。
【００４６】
さらに、この捌き操作手段は、第１番目の平版刷版１１を引き上げる捌き動作に続けて、図示しないが、捌き位置にある第１番目の平版刷版１１に対する吸盤装置１６４の吸着を解除して第１番目の平版刷版１１を自重で第２番目の平版刷版１１上へ落下させる捌き解除動作を行うように構成する。
【００４７】
また、この枚葉供給装置１２では、捌き操作手段が第１番目の平版刷版１１を引き上げる捌き動作に連動して搬出用ローラ１４６を待避位置へ移動し、第１番目の平版刷版１１を落下させる捌き解除動作に連動して搬出用ローラ１４６を第１番目の平版刷版１１の上面に圧接させる搬送操作状態（ピックアップ位置に復帰した状態）に復帰させるように構成する。
【００４８】
この捌き操作手段では、回動操作リンク１４５によって吸盤装置１６４を回動操作すると共に、補助リンク機構１４７を装着して吸盤装置１６４の吸着面を平版刷版１１と平行となるように操作する。
【００４９】
上述のように構成した枚葉供給装置１２では、所要の平版刷版収納用のカセット２０に載置された平版刷版１１の束の１番上にある第１の平版刷版１１を、１枚だけ分離して搬送ベルト巻き掛け機構へ送給する動作を行う際に、まず、捌き操作手段によって、束の１番上にある平版刷版１１だけを捌き位置に移動した後、捌き操作手段に捌き解除動作させることによって、第１番目の平版刷版１１を自重で落下させて第２番目の平版刷版１１上にのる状態とする。
【００５０】
この枚葉供給装置１２では上述した一連の動作により、第１番目の平版刷版１１と第２番目の平版刷版１１との間の空間に空気が入り、その後第１番目の平版刷版１１が第２番目の平版刷版１１上に降下する動作に伴って空間内の空気が第１番目の平版刷版１１の裏面全面に行き渡り第１番目の平版刷版１１と第２番目の平版刷版１１との間の真空密着状態を解除して、真空密着に起因して発生する搬送抵抗を削減する。
【００５１】
次に、この枚葉供給装置１２では、第１番目の平版刷版１１の捌き解除動作に連動して搬出用ローラ１４６を第１番目の平版刷版１１の上面に圧接させる搬送操作状態（ピックアップ位置に復帰した状態）に復帰させてから、搬出用ローラ１４６を図示しない駆動モータ機構で回動することにより、搬出用ローラ１４６を平版刷版１１の束の１番上にある平版刷版１１上を転動させて、１枚だけを分離し搬送ベルト巻き掛け機構へ送給する。
【００５２】
自動供給装置１０のハウジング内の搬送ベルト巻き掛け機構には、２つの平版刷版収納用のカセット２０それぞれから搬出された平版刷版１１をそれぞれ受け入れてインナードラム露光装置１４へ続くメインの搬送ベルト巻き掛け機構へ受け渡す補助搬送ベルト巻き掛け機構を設置する。
【００５３】
この補助搬送ベルト巻き掛け機構は、インナードラム露光装置１４から最も離間して配置される平版刷版収納用のカセット２０の上部に当たる平版刷版１１の第１搬入位置から、インナードラム露光装置１４に接近して配置された平版刷版収納用のカセット２０の上部に当たる平版刷版１１の第２搬入位置を通ってメインの搬送ベルト巻き掛け機構へ搬送路を接続させるように構成する。
【００５４】
この補助搬送ベルト巻き掛け機構では、インナードラム露光装置１４から離間したカセット２０上部の第１搬入位置から第２搬入位置へ至る搬送路を、第１補助搬送ベルト２０１を複数の回動ローラ２０７に張架した第１補助搬送ベルト巻き掛け機構２０３と、第１補助搬送ベルト２０１の下面に沿って平版刷版１１が落下しないように支えながら搬送させるため所定間隔を空けて複数（ここでは３個）配置した支えローラ２０５とで構成する。なお、第１補助搬送ベルト２０１は、細い無端状のベルト複数を、所定間隔を空けて配置して構成する。
【００５５】
この補助搬送ベルト巻き掛け機構では、第２搬入位置からメインの搬送ベルト巻き掛け機構へ至る搬送路を、第２補助搬送ベルト２０９を複数の回動ローラ２１１（回動ローラ２０７と先端の第１ローラ１５１とが兼用で含まれる）に張架した第２補助搬送ベルト巻き掛け機構２１３と、第２補助搬送ベルト２０９の下面に沿って平版刷版１１が落下しないように支えながら搬送させるため所定間隔を空けて複数（ここでは２個）配置した支えローラ２１５とで構成する。
【００５６】
なお、第２補助搬送ベルト２０９は、複数の細い無端状のベルトを、所定間隔を空けて配置して構成するもので、第１補助搬送ベルト２０１を構成する複数の細い無端状のベルトの間に、第２補助搬送ベルト２０９の複数の細い無端状のベルトが位置するように配置する。
【００５７】
この補助搬送ベルト巻き掛け機構では、第２搬入位置側の支えローラ２１５と、第２補助搬送ベルト２０９から下に離間した拾いローラ２１７との間にガイド用無端ベルト２１９を張架して、第１補助搬送ベルト２０１の下側に沿って搬送されてきた平版刷版１１の先端が第２補助搬送ベルト２０９側へ移動して垂れ下がったときに、ガイド用無端ベルト２１９にガイドされて支えローラ２１５へ導かれるように構成する。
【００５８】
さらに、この補助搬送ベルト巻き掛け機構では、インナードラム露光装置１４に接近して配置された平版刷版収納用のカセット２０から引き出された平版刷版１１が第２搬入位置から搬入されて第２補助搬送ベルト２０９に沿って搬送される際に、平版刷版１１の後端部が搬出用ローラ１４６から外れて、その上方にある支えローラ２０５に当たることを防止するため、この支えローラ２０５と搬出用ローラ１４６との間の所定位置に衝突緩和用ローラ２２１を配置する。
【００５９】
この補助搬送ベルト巻き掛け機構に接続するメインの搬送ベルト巻き掛け機構は、主搬送ベルト１４８を張架した主搬送ベルト巻き掛け機構１５０と、副搬送ベルト１５２を張架した副搬送ベルト巻き掛け機構１５４とで構成する。
【００６０】
この主搬送ベルト巻き掛け機構１５０は、補助搬送ベルト巻き掛け機構に接続する搬入位置から、インナードラム露光装置１４への搬出位置との間に搬送ベルト１４８を張架して搬送路を構成する。
【００６１】
また、副搬送ベルト巻き掛け機構１５４は、主搬送ベルト巻き掛け機構１５０における主搬送ベルト１４８の下側に設定される搬送路の一部を共用して搬送中の平版刷版１１が脱落することを防止するよう構成する。
【００６２】
このように構成された主搬送ベルト巻き掛け機構１５０では、補助搬送ベルト巻き掛け機構から搬出された平版刷版１１の先端が、主搬送ベルト１４８における先端の第１ローラ１５１と中間ローラ１５６との間のガイド範囲１４８Ａに当たり、主搬送ベルト１４８の走行動作に従って中間ローラ１５６側へ搬送される。
【００６３】
そして、先端を主搬送ベルト１４８にガイドされた平版刷版１１は、中間ローラ１５６の位置で、主搬送ベルト１４８と副搬送ベルト１５２との間に挟み込まれて挟持された状態で搬送路上を搬送され、出口に近い中間ローラ１５８の位置で挟持状態を開放され、インナードラム露光装置１４へ搬入される。
【００６４】
このＣＴＰシステムにおけるインナードラム露光装置１４は、円弧内周面形状（円筒内周面の一部を構成する形状）の支持体１３４を母体として構成されており、この支持体１３４の内周面に沿って平版刷版１１を支持するようになっている。
【００６５】
このインナードラム露光装置１４では、図示しない真空吸着手段によって、未記録の記録媒体である平版刷版１１を支持体１３４の内周面に確実に密着させて沿わせた状態に保持してから露光処理を行う。
【００６６】
このインナードラム露光装置１４では、支持体１３４の円弧中心位置に、光ビーム偏向器としてのスピナーミラー装置１３６を配設する。このスピナーミラー装置１３６は、反射鏡部材（スピナーミラー）１３８を頂面に配置した回転軸１４０を、図示しない制御装置のスピナードライバによって回転制御がされる駆動源としてのモータによって高速回転可能に構成する。このスピナーミラー装置１３６では、回転軸１４０の回転中心軸を支持体１３４の円弧中心軸と一致するように構成する。
【００６７】
このスピナーミラー装置１３６では、光源側の光学系から投射された光ビームを、回動する反射鏡部材１３８の反射鏡面に反射させて平版刷版１１の感光面に対して主走査方向への走査露光を行う。
【００６８】
このスピナーミラー装置１３６は、図示しない副走査移動手段によって、支持体１３４の円弧中心軸の軸線方向（図２の表面から裏面に貫通する方向）に等速度で移動制御されることにより副走査する。
【００６９】
このためスピナーミラー装置１３６では、制御装置のスピナードライバによって、そのモータの回転制御がされると共に、図示しない副走査移動手段により副走査方向に移動制御される。
【００７０】
このように構成されたスピナーミラー装置１３６は、光源側の光学系から投射され画像情報に応じて変調された光ビームを、回動する反射鏡部材１３８の反射鏡面に反射させて主走査方向への走査露光を行いながら、スピナーミラー装置１３６を副走査方向へ移動することによって、平版刷版１１の記録面全面に対して２次元の画像を記録する処理を行う。
【００７１】
このＣＴＰシステムに設けるバッファ装置１６は、インナードラム露光装置１４で露光処理された平版刷版１１を、搬送速度を調整することによって所要のタイミングで現像処理装置１８へ搬入する機能を有する。
【００７２】
現像処理装置１８は、搬入されて来た露光済の平版刷版１１に対する現像処理を行って潜像を顕像化して印刷版を製版する。
【００７３】
次に、前述したＣＴＰシステムで、この平版刷版の供給システムから平版刷版１１の供給を受け、コンピュータ等のデジタルデータに基づいてレーザ露光処理をし、自動現像機で平版刷版１１上に形成された潜像を顕像に変換する現像処理をして直接印刷版を製版する作業を連続的に行いながら、自動供給装置１０から選択した１つの平版刷版収納用のカセット２０を台車２２で引き出して平版刷版１１を補充し又はべつのサイズ若しくは規格の平版刷版１１に取り換える作業を行う場合について説明する。
【００７４】
この場合には、自動供給装置１０の内部で平版刷版１１を使い切って空となった平版刷版収納用のカセット２０又はサイズ若しくは規格がことなる平版刷版１１と交換すべき平版刷版収納用のカセット２０を選択し、この選択された平版刷版収納用のカセット２０を台車２２で搬出できるようにする。
【００７５】
このため、作業者は、台車２２のペダル装置５６を操作して、まず各支持バー５０を搬出すると選択したカセット２０側へ移動する。
【００７６】
次に、作業者は、ペダル装置５６を操作して、支持切換機構付き支持枠体４８を上昇させることにより、支持バー５０の受け皿部材５２の上に被保持部材３８を載せて台座部材２４から引き上げる。
【００７７】
次に、作業者は、台車２２を自動供給装置１０から引き出し、台車２２上に載置されている平版刷版収納用のカセット２０の上半分のハーフケースを外して、カセット２０の下半分のハーフケース内に所要の新たな平版刷版の束を挿入し、再び上半分のハーフケースを下半分のハーフケースにセットする。この作業は、台車２２の上に１台しかカセット２０が載置されていないため、作業者がカセット２０の前面側に回り込んで容易に作業することができる。
【００７８】
次に、作業者は、新たな平版刷版１１の束を収納したカセット２０を載せた台車２２を自動供給装置１０の内部へ戻し、ペダル装置５６を操作して支持切換機構付き支持枠体４８を降下させることにより、新たな平版刷版１１の束を収納したカセット２０を台座部材２４上にセットして平版刷版収納用のカセット２０の交換作業を終える。
【００７９】
なお、この平版刷版の供給システムでは、平版刷版収納用のカセット２０を台車２２から自動供給装置１０内の台座部材２４上へ移し替えた際に、カセット２０が自動的に枚葉供給装置に対して位置決めされるので、台車２２上へ平版刷版収納用のカセット２０を載置する作業の際に位置決めする手間を省き作業を容易かつ迅速に行うことができる。
【００８０】
また、上述した平版刷版収納用のカセット２０の交換作業は、少なくとも自動供給装置１０の周囲部分を暗室もしくはセーフライト環境下とする条件で行うものとする。
【００８１】
さらに、明室で平版刷版収納用のカセット２０の交換作業を行う場合には、まず、自動供給装置１０を一時的に停止し、開閉機３２により各平版刷版収納用のカセット２０の蓋２８を閉じさせる動作を行わせてから、作業者が自動供給装置１０の扉１０Ａを開き、台車２２を外部に引き出し、自動供給装置１０の扉１０Ａを閉じてから再び開閉機３２により蓋２８を開けて自動供給装置１０から平版刷版１１を供給する作業を再開する。
【００８２】
次に、作業者は、台車２２を暗室もしくはセーフライト環境下の室へ運んで、前述したように所要の新たな平版刷版の束をカセット２０に収納する。
【００８３】
そして、作業者は、自動供給装置１０の動作を停止して開閉機３２により蓋２８を閉じてから扉１０Ａを開け、新たな平版刷版１１の束を収納したカセット２０を載せた台車２２を自動供給装置１０の内部へ戻し、ペダル装置５６を操作して支持切換機構付き支持枠体４８を降下させることにより、新たな平版刷版１１の束を収納したカセット２０を台座部材２４上にセットし、自動供給装置１０の扉１０Ａを閉じる。
【００８４】
次に、作業者は、開閉機３２により各平版刷版収納用のカセット２０の蓋２８を開かせる動作を行わせてから、自動供給装置１０の動作を再開させて平版刷版収納用のカセット２０の交換作業を終える。
【００８５】
すなわち、この明室で平版刷版収納用のカセット２０の交換作業を行う場合には、自動供給装置１０に台車２２を搬出又は搬入する作業に費やす時間は短いので、自動供給装置１０を停止させる時間も短いため、生産性が低下することを抑制できる。さらに、この自動供給装置１０では、引き出した台車２２上で新たな平版刷版の束を補充する作業の間、自動供給装置１０内に残っている平版刷版収納用のカセット２０から平版刷版１１を供給する作業を行うようにして生産性が低下を抑制することができる。
【００８６】
なお、前述したＣＴＰシステムにおける平版刷版の供給システムは、前述した合紙の保護を必要としない平版刷版１１であるフォトポリマＰＳ版以外に、例えば、いわゆるサーマルＰＳ版で、表面に形成された画像を形成する記録層に傷が付くことを防止するため、記録層の最外表面上にオーバーコート層（現像前の水洗工程で完全に除去できる水溶性材料で構成されたＯＣ層等）が塗布されているものを利用することができる。
【００８７】
さらに、この平版刷版の供給システムは、一般に平版印刷の分野で用いられる製版方式に対応した平版刷版である、光を利用して記録層に画像を記録する（光モード）の平版刷版、熱を利用して記録層に画像を記録する（熱モード）の平版刷版、記録層中で光を熱に変換させて画像を記録する（光、熱モード）の平版刷版、化学反応を利用した平版刷版、物理的な現像を利用した平版刷版等で合紙を介在させて重ねて束ねた平版刷版の束を利用する平版刷版の供給システムとしても利用できる。
【図面の簡単な説明】
【００８８】
【図１】本発明の実施の形態に係わる平版刷版の供給システムを利用したＣＴＰ（Ｃｏｍｐｕｔｅｒ  ｔｏ  Ｐｌａｔｅ）システムの全体を示す斜視図である。
【図２】本発明の実施の形態に係わる平版刷版の供給システムを利用したＣＴＰシステム内部の全体的な概略構成を示す構成図である。
【図３】本発明の実施の形態に係わる平版刷版の供給システムで用いる台車部分を取り出して示す要部斜視図である。
【図４】本発明の実施の形態に係わる平版刷版の供給システムにおける平版刷版収納用のカセットの蓋を開閉する扉開閉手段の部分を取り出して示す要部概略側面図である。
【図５】本発明の実施の形態に係わる平版刷版の供給システムの部分を取り出して示す要部概略側面図である。
【図６】本発明の実施の形態に係わる平版刷版の供給システムに用いる台車の部分を取り出して示す要部概略正面図である。
【図７】本発明の実施の形態に係わる平版刷版の供給システムに用いる台車上に一方の平版刷版収納用のカセットを乗せた状態を示す要部概略側面図である。
【図８】本発明の実施の形態に係わる平版刷版の供給システムに用いる台車上に他方の平版刷版収納用のカセットを乗せた状態を示す要部概略側面図である。
【符号の説明】
【００８９】
１０  自動供給装置
１１  平版刷版
１２  枚葉供給装置
２０  カセット
２２  台車
２４  台座部材
２８  蓋
３０  突片
３２  開閉機
３８  被保持部材
４０  車輪
４２  台板
４４  支持機構
４６  操作機台
４８  支持枠体
５０  支持バー
５２  皿部材
５４  ローラ
５６  ペダル装置
【図１】
2007261714.tif 000003
【図２】
2007261714.tif 000004
【図３】
2007261714.tif 000005
【図４】
2007261714.tif 000006
【図５】
2007261714.tif 000007
【図６】
2007261714.tif 000008
【図７】
2007261714.tif 000009
【図８】
2007261714.tif 000010